(57)【要約】【課題】浴室の乾燥を効率よく行うことのできる浴室乾燥装置を提供する。【解決手段】装置本体２の排気機構を動作させると、矢印Ａ１に示すように、浴室８０内の空気が屋外に排出される。これに伴って、矢印Ａ３に示すように、脱衣室９０内の空気が連通口９１を通じて、浴室８０内に流入する。また、矢印Ａ４に示すように、屋外（又は他の部屋）からの空気がダクト９２から流入するため、浴室８０と脱衣室９０との気圧が同一に保たれるようになっている。また、装置本体２の循環送風機構を動作させると、矢印Ａ２に示すように、浴室８０内の空気が循環する。そして、低湿度化機構３を動作させると、浴室内を循環する空気の湿度を低下させる。【選択図】図２
2016090124.tif 000002
【特許請求の範囲】
【請求項１】
浴室内の空気を屋外に排出する排気機構と、
浴室内の空気を循環させる循環送風機構と、
前記排気機構の動作に伴って浴室外から浴室内に流入する空気、および、前記循環送風機構により循環させる空気のうち、少なくとも一方の空気の湿度を低下させる低湿度化機構とを備えた浴室乾燥装置であって、
浴室乾燥運転を開始後に、前記排気機構の風量を変化させる機構を有する、浴室乾燥装置。
【請求項２】
浴室内の空気を屋外に排出する排気機構と、
浴室内の空気を循環させる循環送風機構と、
前記排気機構の動作に伴って浴室外から浴室内に流入する空気、および、前記循環送風機構により循環させる空気のうち、少なくとも一方の空気の湿度を低下させる低湿度化機構と、
浴室外から浴室内へと流入する空気の湿度および温度のうち、少なくとも一方の値を検出するセンサと、を備え、
前記センサが検出した値に基づいて、前記排気機構、前記循環送風機構、および、前記低湿度化機構のうち、少なくとも１つを動作させる、浴室乾燥装置。
【請求項３】
前記低湿度化機構は、運転時間および運転能力のうち少なくとも一方を変化させて、エネルギー消費量が異なる複数段階の動作モードのうちの何れかで動作するものであり、
前記センサが検出した値に基づいて絶対湿度を求め、当該求めた絶対湿度が予め定められた基準値よりも低い場合に、エネルギー消費量が最も低い動作モードにて、前記低湿度化機構を動作させる、請求項２に記載の浴室乾燥装置。
【請求項４】
前記排気機構は、排出する空気の風量が異なる複数段階の動作モードのうちの何れかで動作するものであり、
前記センサが検出した値に基づいて絶対湿度を求め、当該求めた絶対湿度が予め定められた基準値よりも高い場合に、風量が最も大きい動作モードにて、前記排気機構を動作させる、請求項２に記載の浴室乾燥装置。
【請求項５】
前記センサは、浴室と隣接する隣室内に配置され、
浴室と前記センサが配置された隣室とは、空気の通る連通口にて接続されており、
前記排気機構を動作させることにより、前記センサが配置された隣室内の空気を前記連通口を通じて浴室内へと流入させる、請求項２から４の何れか１項に記載の浴室乾燥装置。
【請求項６】
前記センサが配置された隣室には、屋内の他の部屋または屋外に連通するダクトが配設されており、
前記低湿度化機構は、前記ダクト内に配置され、屋内の他の部屋または屋外から前記ダクトを通じて前記センサが配置された隣室内に流入する空気の湿度を低下させる、請求項５に記載の浴室乾燥装置。
【請求項７】
前記連通口の浴室側の端部が装置本体と連結されており、
前記低湿度化機構は、前記連通口が連結された部位の近傍、および、前記循環送風機構内のうちの少なくとも一方に配置され、前記センサが配置された隣室から前記連通口と装置本体とを通じて浴室内に流入する空気、および、浴室内を循環させる空気のうちの少なくとも一方の空気の湿度を低下させる、請求項５に記載の浴室乾燥装置。
【請求項８】
前記低湿度化機構は、屋外に設置された給湯装置から供給される温冷水と空気との熱交換によって、湿度を低下させる、請求項１から７の何れか１項に記載の浴室乾燥装置。
【請求項９】
前記低湿度化機構は、空気を加熱すること、および、空気から水分を吸湿することのうち、少なくとも一方によって湿度を低下させる、請求項１から７の何れか１項に記載の浴室乾燥装置。
【請求項１０】
浴室乾燥装置に対してユーザが操作指示を行うための操作端末では、少なくとも浴室乾燥または衣類乾燥を指示する乾燥モードと、当該乾燥モードでの運転時間とが選択可能であり、
前記操作端末から前記乾燥モードと前記運転時間とが選択された場合に、前記センサが検出した値と前記運転時間とに基づいて、前記乾燥モードの運転中における前記排気機構、前記循環送風機構、および、前記低湿度化機構の動作パターンを複数選定し、当該選定した動作パターンの内で最もエネルギー消費量が少ない動作パターンを決定し、当該決定した動作パターンに従って、前記排気機構、前記循環送風機構、および、前記低湿度化機構を動作させる、請求項２から８の何れか１項に記載の浴室乾燥装置。
【発明の詳細な説明】
【技術分野】
【０００１】
本発明は、浴室を効率よく乾燥させることのできる浴室乾燥装置に関する。
【背景技術】
【０００２】
近年、浴室乾燥装置が普及している。この浴室乾燥装置は、例えば、浴室天井に設置され、浴室内の空気を屋外に排出するとともに、浴室内の空気を循環送風することで、カビの発生を抑制したり、浴室内に干した洗濯物なども乾燥させることができる。
最近では、熱源を備えた浴室乾燥装置も知られており、浴室内の温度を上げて低湿度化した空気を循環送風することで、乾燥時間を短縮することもできる。
【０００３】
このような浴室乾燥装置の先行技術が、例えば、特許文献１〜３に開示されている。特許文献１には、その日の温度や湿度等の環境に応じて最適な乾燥運転を行うことを特徴とした浴室換気装置（浴室換気システム）の発明が開示されている。また、特許文献２には、浴室乾燥ユニットと集合換気ユニットとが接続ダクトを介して連結されたシステムにおいて、送風機（循環用送風機や換気用送風機）の運転に連動させて接続ダクト内のダンパを開閉制御することを特徴としたサニタリ換気乾燥システムの発明が開示されている。また、特許文献３には、浴室内に吸い込む空気の温湿度が変動したときでも、正しいタイミングで換気運転を自動停止することを特徴とした浴室暖房乾燥機の発明が開示されている。
【先行技術文献】
【特許文献】
【０００４】
【特許文献１】特開２００５−３７１１０号公報
【特許文献２】特許第３４２７０９７号公報
【特許文献３】特開２０１４−６６４０６号公報
【発明の概要】
【発明が解決しようとする課題】
【０００５】
しかしながら、上述した特許文献１に開示された発明では、脱衣室に配置されたセンサが測定した脱衣室の温度や湿度等に応じて、浴室内における排気、循環送風、および、ヒータの制御を行っているだけである。また、上述した特許文献２に開示された発明では、洗面室に配置されたセンサが高湿度であることを検出すると、ダンパを閉塞して換気用送風機を単独運転させるだけである。なお、浴室を乾燥させる場合には、洗面室のセンサを何ら活用しておらず、循環用送風機と換気用送風機とを連動させて駆動させるだけ（ヒータを稼働させる場合もあり）である。更に、上述した特許文献３に開示された発明では、浴室および脱衣室に温度センサ等を配置して、浴室と脱衣室の温度等が等しくなった場合に、浴室乾燥装置の停止制御を行うだけである。なお、浴室の乾燥には、浴室内における排気、循環送風、および、熱交換器の制御を行っているだけである。つまり、上述した特許文献１〜３の発明では、浴室内に流入する空気に対して、何ら制御が行われていないため、浴室を効率よく乾燥させることができず、乾燥に必要なエネルギー消費量を抑制することができなかった。
【０００６】
本発明は、上記課題を解決するためになされたもので、浴室の乾燥を効率よく行うことのできる浴室乾燥装置を提供することを目的とする。
【課題を解決するための手段】
【０００７】
上記目的を達成するために、本発明に係る浴室乾燥装置は、
浴室内の空気を屋外に排出する排気機構と、
浴室内の空気を循環させる循環送風機構と、
前記排気機構の動作に伴って浴室外から浴室内に流入する空気、および、前記循環送風機構により循環させる空気のうち、少なくとも一方の空気の湿度を低下させる低湿度化機構と、を備え、排気機構は、乾燥運転を開始後に風量を変化させる機構を有する。
さらに望ましくは、浴室外から浴室内へと流入する空気の湿度および温度のうち、少なくとも一方の値を検出するセンサと、を備え、
前記センサが検出した値に基づいて、前記排気機構、前記循環送風機構、および、前記低湿度化機構のうち、少なくとも１つを動作させる。
【発明の効果】
【０００８】
本発明によれば、浴室内の空気を屋外に排出する排気機構の動作（運転）に伴って浴室外から浴室内に流入する空気の温湿度を検出し、検出した温湿度に応じて排気機構の風量を変化させたり、低湿度化機構等を動作させ、浴室外から浴室内に流入する空気等の湿度を低下させる。これによって、浴室の乾燥を効率よく行うことができる。
【図面の簡単な説明】
【０００９】
【図１】本発明の実施形態に係る浴室乾燥装置の構成を説明するためのブロック図である。
【図２】本発明の実施形態１に係る浴室乾燥装置の配置例を説明するための模式図である。
【図３】本発明の実施形態２に係る浴室乾燥装置の配置例を説明するための模式図である。
【図４】本発明の実施形態３に係る浴室乾燥装置の配置例を説明するための模式図である。
【図５】（ａ）が本発明の実施形態４に係る浴室乾燥装置の配置例を説明するための模式図であり、（ｂ）が低湿度化機構を説明するための模式図である。
【図６】本発明の実施形態５に係る浴室乾燥装置の配置例を説明するための模式図である。
【図７】本発明の実施形態６に係る浴室乾燥装置の配置例を説明するための模式図である。
【発明を実施するための形態】
【００１０】
以下、本発明の実施形態について、図面を参照しながら詳細に説明する。なお、以下では、住居に設置された浴室乾燥装置について説明するが、後述するように、浴室乾燥装置は、住居以外の施設等に設置されてもよい。また、図中同一又は相当部分には同一符号を付す。
【００１１】
（浴室乾燥装置の構成）
図１は、本発明の実施形態に係る浴室乾燥装置１の構成を説明するためのブロック図である。この浴室乾燥装置１は、装置本体２と、温湿度センサ４と、制御部５とが、ネットワーク９を介して、通信可能に接続されている。なお、ネットワーク９は、有線のネットワークを一例として説明するが、他に、無線のネットワークであってもよい。また、後述するように、ネットワーク９には、給湯装置（後述する給湯装置６）等とも接続可能となっている。
【００１２】
装置本体２は、浴室（後述する浴室８０）の天井部に設置され、浴室内の乾燥等を行う。装置本体２には、低湿度化機構３と、排気機構２１と、循環送風機構２２とが含まれている。なお、後述するように、低湿度化機構３は、装置本体２から分離され、ダクト内などに設置される場合もある。
【００１３】
低湿度化機構３は、加熱または除湿を行う装置で構成される。
加熱を行う装置として、例えば、ヒータや熱交換器などが利用可能である。なお、熱交換器の一例として、給湯装置（後述する給湯装置６）から供給される温水（又は冷水）と空気との熱交換器が揚げられる。この他にも、ヒートポンプ式による冷媒と空気との熱交換器を用いてもよい。
一方、除湿を行う装置として、いわゆるデシカント式の除湿装置などが利用可能である。
【００１４】
装置本体２内における低湿度化機構３は、後述するように、循環送風機構２２により浴室内を循環させる空気の湿度を低下させる。この低湿度化機構３は、エネルギー消費量が異なる複数段階の動作モードのうちの何れかで動作する。例えば、低湿度化機構３は、運転時間や運転能力（例えば、加熱のための発熱量）の少なくとも一方を段階的（複数の動作モード）に切り替え可能とし、その動作モードで規定されたエネルギー消費量（一例として、単位時間当たりの電力量）内で、空気の湿度を低下させる。
なお、低湿度化機構３が装置本体２から分離されて設置される場合や、装置本体２内に複数の低湿度化機構３が配置される場合については、後述する。
【００１５】
排気機構２１は、浴室内の空気を屋外に排出する。排気機構２１は、他の機器と分離独立しておいても、一体化されていてもよく、図中の位置に限定されない。例えば、排気機構２１は、屋外に至る風路と、排気ファンとを備えており、排気ファンを回転させて、浴室内の空気を吸い出して、風路を通じて屋外に排出する。この排気機構２１は、排出する空気の風量が異なる複数段階の動作モードのうちの何れかで動作する。例えば、排気機構２１は、排気ファンの回転数を段階的（複数の動作モード）に切り替え可能とし、排出する風量を変化させる。
なお、後述するように、排気機構２１の動作（排気動作）に伴って、浴室の隣室（一例として、後述する脱衣室９０）から浴室内に、空気が流入するようになっている。
【００１６】
循環送風機構２２は、浴室内の空気を循環させる。例えば、循環送風機構２２は、浴室内の空気を吸引する吸引口と、循環送風ファンと、浴室内への空気を吹き出す吹出口とを有しており、循環送風ファンを回転させて、吸引口から吸引した空気を吹出口から吹き出すことで、浴室内の空気を循環させる。
なお、上述した低湿度化機構３は、例えば、吸引口と吹出口とを繋ぐ風路内に配置され、循環送風機構２２によって循環させる空気の湿度を低下させる（低湿度化機構３が動作している場合）。
【００１７】
温湿度センサ４は、浴室の隣室（一例として、後述する脱衣室９０）に設置され、温湿度を検出する。つまり、温湿度センサ４は、隣室内の温度（一例として乾球温度）や湿度（一例として、相対湿度）を測定し、測定した値（データ）を、ネットワーク９を介して、制御部５に送信する。
なお、温湿度センサ４のようなセンサ類は、一般に、直接水がかかったり結露したりするのを避ける位置に配置すると共に、故障時に交換等のメンテナンスがしやすいことが望ましい。温湿度センサ４の具体的な設置位置などについては、後述する。
【００１８】
制御部５は、例えば、ＣＰＵ（Central Processing Unit），ＲＯＭ（Read Only Memory），ＲＡＭ（Random Access Memory）などを備えており、浴室乾燥装置１全体を制御する。一例として、制御部５は、リビング等に配置されたＨＥＭＳ（Home Energy Management System）コントローラや、脱衣室等に設置された操作リモコン（一例として、表示部や操作ボタンを有するマイコン）などからなる。
制御部５は、上述した低湿度化機構３、排気機構２１、及び、循環送風機構２２を統合的に制御する。例えば、制御部５は、上述した温湿度センサ４から得られた値に基づいて、低湿度化機構３、排気機構２１、及び、循環送風機構２２のうち、少なくとも１つを動作させる。
【００１９】
より詳細には、制御部５は、温湿度センサ４から得られた温度と湿度から、後述するように絶対湿度を求め、求めた絶対湿度が予め定められた基準値よりも低い場合に、エネルギー消費量が最も低い動作モードにて、低湿度化機構３を動作させる。
また、制御部５は、求めた絶対湿度が予め定められた基準値よりも高い場合に、風量が最も大きい動作モードにて、排気機構２１を動作させる。
【００２０】
ここで、絶対湿度を求める手法について簡単に説明する。制御部５は、横軸を乾球温度とし、縦軸を絶対湿度としたグラフにおいて、相対湿度（％）の曲線や比エンタルピーの斜線にて示した湿り空気線図のデータを、数値化してＲＯＭ等に記憶しておく。そして、制御部５は、温湿度センサ４から得られた温度（乾球温度）と湿度（相対湿度）の実測値から縦軸の絶対湿度を求める。なお、絶対湿度を求める手法は、このような手法に限られず、他の手法によって、絶対湿度を求めてもよい。
【００２１】
また、制御部５は、例えば、浴室乾燥または衣類乾燥を指示する乾燥モードとその運転時間とがユーザによって選択された場合に、乾燥モードの運転中における排気機構２１、循環送風機構２２、および、低湿度化機構３の動作パターンを複数選定し、選定した動作パターンの内で最もエネルギー消費量が少ない動作パターンを決定する。そして、制御部５は、決定した動作パターンに従って、排気機構２１、循環送風機構２２、および、低湿度化機構３を動作させる。
【００２２】
以下、このような構成の浴室乾燥装置１の具体的な配置等について、図２〜７を参照して説明する。図２〜７では、浴室８０と脱衣室９０と屋外の給湯装置６とを、横方向からの断面にて模式的に表している。
なお、以下では、浴室の隣室として脱衣室９０を一例として説明するが、隣室は脱衣室９０に限らず、他の部屋であってもよい。また、以下に説明する部屋の配置、連通口やダクト等の位置とそれらの数、及び、動作の有無等は、一例であり、後述の効果が得られるものであれば、これらの図に限定されることはなく、適宜変更可能である。
【００２３】
（実施形態１）
図２は、本発明の実施形態１に係る浴室乾燥装置１の配置例を説明するための模式図である。
図示するように、浴室８０と脱衣室９０とは、ドア８２によって仕切られている。浴室８０には、浴槽８１が設置されており、また、浴室８０の天井には、装置本体２が設置されている。
装置本体２（低湿度化機構３）と浴槽８１と給湯装置６とは、配管６３を介して接続されている。
【００２４】
脱衣室９０には、浴室８０と繋ぐ風路となる連通口９１が、一例としてドア８２に設けられている。そのため、装置本体２が排気を開始すると（排気機構２１を動作させると）、脱衣室９０内の空気が連通口９１を通って、浴室８０内に流入するようになっている。
また、脱衣室９０の天井には、屋外（他の部屋であってもよい）と繋ぐダクト９２が設置されている。このダクト９２が屋外（又は他の部屋）からの空気を流入させることで、浴室８０と脱衣室９０との気圧が同一に保たれるようになっている。
【００２５】
また、ダクト９２の近傍には、温湿度センサ４が配置されている。そして、温湿度センサ４は、脱衣室９０に流入する空気の温湿度を検出する。この温湿度センサ４の位置は、脱衣室９０が閉鎖され、脱衣室９０への空気の流入が上述したダクト９２に限定される際に特に精度良く、温湿度を検出できる。この温湿度は、最終的に、連通口９１を通じて浴室８０内に流入する空気の温湿度となる。つまり、温湿度センサ４は、浴室８０内に流入する空気の温湿度を検出するとも言える。そのため、部屋の構造によっては、温湿度センサ４を、連通口９１（脱衣室９０側の吸込口）の近傍に設け、浴室８０内に流入する空気の温湿度をより直接的に検出するようにしてもよい。
また、温湿度センサ４は、装置本体２が排気動作を行っていない場合においても、脱衣室９０の温湿度を監視し、装置本体２が排気を開始した際に浴室８０内に流入する空気の温湿度をより高精度に検知することも可能である。
また、ユーザが浴室８０を使用後か否かにかかわらず、脱衣室９０が高湿度の場合には装置本体２が排気動作を自動的に開始するようにしてもよい。また、脱衣室９０が低温の場合には、ヒートショックのおそれがあることをユーザに警告するなど、浴室乾燥以外にも活用可能である。更に、浴室８０内や装置本体２内部に温湿度センサ４を併せて設けることによって、さらに高精度な検出や制御が行えるようにしてもよい。
【００２６】
屋外には、給湯装置６が設置されている。この給湯装置６は、一例として、ヒートポンプ式給湯装置であり、給湯タンク６１と室外機６２が含まれている。この給湯装置６は、制御部５とネットワーク９を介して通信可能に接続され、制御部５からの制御によって、給湯タンク６１内の温水を、配管６３を通じて、低湿度化機構３に供給する。
つまり、実施形態１に係る浴室乾燥装置１の低湿度化機構３では、温水と空気との熱交換器を用いて加熱を行うことにより、浴室内を循環させる空気の湿度を低下させる。このように、給湯装置６の温水を低湿度化機構３に利用することで、省エネや施工性の面でメリットが大きい。
なお、給湯装置６は、本構成に限定するものではなく、ガス式や電気加熱式の給湯装置であってもよい。
【００２７】
以下、このような実施形態１に係る浴室乾燥装置１の動作について説明する。
装置本体２の排気機構２１を動作させると、図２の矢印Ａ１に示すように、浴室８０内の空気が屋外に排出される。これに伴って、矢印Ａ３に示すように、脱衣室９０内の空気が連通口９１を通じて、浴室８０内に流入する。また、矢印Ａ４に示すように、屋外（又は他の部屋）からの空気がダクト９２から流入するため、浴室８０と脱衣室９０との気圧が同一に保たれるようになっている。
また、装置本体２の循環送風機構２２を動作させると、図２の矢印Ａ２に示すように、浴室８０内の空気が循環する。そして、低湿度化機構３を動作させると、浴室内を循環する空気の湿度を低下させる。
【００２８】
このような排気機構２１、循環送風機構２２、及び、低湿度化機構３の動作が、制御部５によって制御される。つまり、制御部５は、温湿度センサ４が検出した温湿度等に基づいて、浴室８０の乾燥に必要とされる、排気風量、循環送風量、及び、低湿度化機構の運転能力（加熱強度等）とそれぞれの運転時間の組み合わせ（制御設定）を決定する。なお、このような制御設定は、決定後に不変である必要はなく、温湿度センサ４が検出した温湿度の変化やその累積に応じて自動的にフィードバックされるようにしてもよい。
そして、制御部５は、決定した制御設定に従って、排気機構２１、循環送風機構２２、及び、低湿度化機構３を制御する。
【００２９】
このような浴室乾燥装置１における浴室乾燥運転の基本は排気である。つまり、浴室８０の天井、壁、床、若しくは、干している衣類などに残存する水は、濡れ面に沿って流れる空気が高温、低湿、かつ、高風速なほど蒸発が速く、蒸発した水分を空気とともに排気することによって、浴室８０や浴室８０内の衣類の乾燥が行われる。それでも、大風量で排気しつつ浴室８０内の空気を高温にするには大量のエネルギーを消費してしまう。そのため浴室乾燥装置１は、排気機構２１、循環送風機構２２、及び、低湿度化機構３に用いるエネルギーの組み合わせを考慮して、それぞれを制御する。具体的には、温湿度センサ４によって、浴室８０に流入する空気の絶対湿度が基準値よりも低い場合に、浴室乾燥装置１は、絶対湿度が高い場合に比べて、低湿度化機構３に用いるエネルギーをより低く設定することによって、過剰にエネルギーを用いることなく、適切な乾燥性能が得られる。また、絶対湿度が基準値よりも高い場合に、乾燥効率が悪いため、浴室乾燥装置１は、排気機構２１を最大風量（最大の動作モード）で作動させ、大風量の空気を浴室８０内に流入させ、また、浴室８０外に排出させる。一方、浴室８０に流入する空気の絶対湿度が浴室８０内の絶対湿度よりも高い場合には、排気機構２１を停止して浴室内の加熱を優先させることにより、エネルギーロスを抑制することが望ましい。
また、脱衣室９０のダクト９２は、例えば、リビングと屋外とにそれぞれ接続され、ダンパによって切り替えられるようにしてもよい。すなわち、より低湿度な空気を脱衣室９０に流入させることによって乾燥効率を向上させることができる。
【００３０】
（実施形態２）
図３は、本発明の実施形態２に係る浴室乾燥装置１の配置例を説明するための模式図である。
実施形態１と同様に、浴室８０と脱衣室９０とは、ドア８２によって仕切られている。浴室８０には、浴槽８１が設置されており、また、浴室８０の天井には、装置本体２が設置されている。
浴槽８１と給湯装置６とは、実施形態１と異なり、配管６４を介して接続されている。
【００３１】
脱衣室９０には、浴室８０と繋ぐ風路となる連通口９３が、一例として天井裏に設けられている。そのため、装置本体２が排気を開始すると（排気機構２１を動作させると）、脱衣室９０内の空気が連通口９３を通って、浴室８０内に流入するようになっている。
図３に示す実施形態２では、実施形態１と比べて、排気風量が大きい場合でもドア８２が風圧で開放されてしまうのを避けることができる。
また、実施形態１と同様に、脱衣室９０の天井には、ダクト９２が設置されている。なお、図３では、ダクト９２を天井近傍に示しているが、流入した空気が連通口９３へと直接ショートカットするのを避けるため、連通口９３とダクト９２（排気口）とは、出来るだけ離して設置したり、流入した空気が、循環送風によって浴室内に拡散しやすい配置にすることが望ましい。
【００３２】
また、連通口９３（脱衣室９０側の吸込口）の近傍には、温湿度センサ４が配置されている。そして、温湿度センサ４は、浴室８０内に流入する空気の温湿度を検出する。
【００３３】
屋外には、実施形態１と同様に、給湯装置６（給湯タンク６１と室外機６２が）が設置されている。
【００３４】
以下、このような実施形態２に係る浴室乾燥装置１の動作について説明する。
装置本体２の排気機構２１を動作させると、図３の矢印Ａ１に示すように、浴室８０内の空気が屋外に排出される。これに伴って、矢印Ａ５に示すように、脱衣室９０内の空気が連通口９３を通じて、浴室８０内に流入する。また、矢印Ａ４に示すように、屋外（又は他の部屋）からの空気がダクト９２から流入するため、浴室８０と脱衣室９０との気圧が同一に保たれるようになっている。
また、装置本体２の循環送風機構２２を動作させると、図３の矢印Ａ２に示すように、浴室８０内の空気が循環する。そして、低湿度化機構３を動作させると、浴室内を循環する空気の湿度を低下させる。
【００３５】
（実施形態３）
図４は、本発明の実施形態３に係る浴室乾燥装置１の配置例を説明するための模式図である。実施形態３では、後述するように、低湿度化機構３が装置本体２から分離され、ダクト９２に配置され、脱衣室９０の温湿度を制御できるように構成されている。
実施形態１と同様に、浴室８０と脱衣室９０とは、ドア８２によって仕切られている。浴室８０には、浴槽８１が設置されており、また、浴室８０の天井には、装置本体２が設置されている。なお、実施形態１と異なり、装置本体２からは、低湿度化機構３が分離されている。
浴槽８１と給湯装置６とは、実施形態２と同様に、配管６４を介して接続されている。
【００３６】
脱衣室９０には、浴室８０と繋ぐ風路となる連通口９３が、実施形態２と同様に、一例として天井裏に設けられている。
また、脱衣室９０の天井には、ダクト９２が設置されているが、実施形態１と異なり、ダクト９２内に、低湿度化機構３が配置されている。
【００３７】
また、連通口９３（脱衣室９０側の吸込口）の近傍には、実施形態２と同様に、温湿度センサ４が配置されている。
【００３８】
屋外には、実施形態１と同様に、給湯装置６（給湯タンク６１と室外機６２が）が設置されている。
【００３９】
このような構成とすることで、脱衣室９０の湿度が基準値よりも高い場合に、低湿度化機構３を動作させ、高温化または除湿した空気を脱衣室９０に導入することができる。そのため、脱衣室９０や流入空気の温湿度によらず、安定した浴室乾燥条件が得られる。また、このような構成にすることで、浴室８０と脱衣室９０とを共に乾燥することができ、脱衣室９０の衛生性も保つことができる。
【００４０】
また、低湿度化機構３を、装置本体２から分離することによって、装置本体２の小型化が可能であるだけでなく、排気機構２１、及び、循環送風機構２２が既設の場合に、脱衣室乾燥と併せた製品としてユーザに提供できるメリットがある。すなわち、低湿度化機構３と温湿度センサ４とを脱衣室９０に新規に設置することで、浴室内の既存機器（排気機構２１、及び、循環送風機構２２）を変更することなく（浴室天井開口部を拡大したり、浴室天井での作業をすることなく）、高効率な浴室乾燥を実現できる。この際、制御部５から低湿度化機構３を、既設の排気機構２１、及び、循環送風機構２２と共に制御できるように設定することで、ユーザの操作が単純化され、精度の良い制御が可能となる。
【００４１】
以下、このような実施形態３に係る浴室乾燥装置１の動作について説明する。
装置本体２の排気機構２１を動作させると、図４の矢印Ａ１に示すように、浴室８０内の空気が屋外に排出される。これに伴って、矢印Ａ５に示すように、脱衣室９０内の空気が連通口９３を通じて、浴室８０内に流入する。また、矢印Ａ４に示すように、屋外（又は他の部屋）からの空気がダクト９２から流入する。そして、低湿度化機構３を動作させると、ダクト９２から流入する空気の湿度を低下させる。
また、装置本体２の循環送風機構２２を動作させると、図４の矢印Ａ２に示すように、浴室８０内の空気が循環する。
【００４２】
（実施形態４）
図５（ａ）は、本発明の実施形態４に係る浴室乾燥装置１の配置例を説明するための模式図である。実施形態４では、後述するように、低湿度化機構３が装置本体２から分離され、脱衣室９０の温湿度を制御できるように構成されている。
実施形態１と同様に、浴室８０と脱衣室９０とは、ドア８２によって仕切られている。浴室８０には、浴槽８１が設置されており、また、浴室８０の天井には、装置本体２が設置されている。なお、実施形態１と異なり、装置本体２からは、低湿度化機構３が分離されている。
浴槽８１と給湯装置６とは、実施形態２と同様に、配管６４を介して接続されている。
【００４３】
脱衣室９０には、実施形態１と同様に、連通口９１がドア８２に設けられている。
連通口９１（脱衣室９０側の吸込口）の近傍には、低湿度化機構３が配置されている。この低湿度化機構３は、一例として、パネルヒータタイプの加熱装置からなる。この加熱装置によって、脱衣室９０の温度を高めることで、低湿度化された空気を浴室８０へと流入させることが可能となる。なお、暖気は基本的に上昇気流をともなって脱衣室９０の天井近傍が低湿度化するため、連通口９１がドア８２の下部にある場合には、低湿度空気の流入効率が悪化する。そのため、低湿度化機構３は、例えば、図５（ｂ）に示すように、上方開口部３１だけでなく、側面（連通口９１と相対する位置）にドア側開口部３２が設けられており、連通口９１から暖気（低湿度化された空気）が浴室８０内に流入しやすくしている。このような低湿度化機構３は、化粧パネル９４にて前面が覆われていてもよい。
また、脱衣室９０の天井には、実施形態１と同様に、ダクト９２が設置されている。
【００４４】
また、ダクト９２の近傍など、脱衣室９０の平均的な温湿度を検知できる位置に、温湿度センサ４が配置されている。
【００４５】
屋外には、実施形態１と同様に、給湯装置６（給湯タンク６１と室外機６２が）が設置されている。
【００４６】
このような構成とすることで、温湿度センサ４によって、脱衣室９０の平均的な温湿度を検出しつつ、低湿度化機構３（パネルヒータタイプの加熱装置）の発熱量制御と併せて、浴室８０に流入する空気の温湿度を制御することができる。
また、実施形態３と同様に、浴室内の既存機器（排気機構２１、及び、循環送風機構２２）の変更を伴わないため、施工性がよいメリットがある。更に、既存のパネルヒータ等が配置済みであれば、制御部５からこれらの既存機器も制御可能に施工することで、既存機器の有効利用を図ることができる。
【００４７】
以下、このような実施形態４に係る浴室乾燥装置１の動作について説明する。
装置本体２の排気機構２１を動作させると、図５（ａ）の矢印Ａ１に示すように、浴室８０内の空気が屋外に排出される。これに伴って、矢印Ａ３に示すように、脱衣室９０内の空気が連通口９１を通じて、浴室８０内に流入する。その際、低湿度化機構３を動作させると、連通口９１から流入する空気の湿度を低下させる。また、矢印Ａ４に示すように、屋外（又は他の部屋）からの空気がダクト９２から流入する。
また、装置本体２の循環送風機構２２を動作させると、図５の矢印Ａ２に示すように、浴室８０内の空気が循環する。
【００４８】
（実施形態５）
図６は、本発明の実施形態５に係る浴室乾燥装置１の配置例を説明するための模式図である。実施形態５では、後述するように、低湿度化機構３が装置本体２から分離され、脱衣室９０から浴室８０に流入する空気の温湿度を制御できるように構成されている。
実施形態１と同様に、浴室８０と脱衣室９０とは、ドア８２によって仕切られている。浴室８０には、浴槽８１が設置されており、また、浴室８０の天井には、装置本体２が設置されている。なお、実施形態１と異なり、装置本体２からは、低湿度化機構３が分離されている。
浴槽８１と給湯装置６とは、実施形態２と同様に、配管６４を介して接続されている。
【００４９】
脱衣室９０には、浴室８０と繋ぐ風路となる連通口９３が、実施形態２と同様に、一例として天井裏に設けられている。なお、実施形態２と異なり、連通口９３内に、低湿度化機構３が配置されている。
また、脱衣室９０の天井には、実施形態１と同様に、ダクト９２が設置されている。
【００５０】
また、連通口９３（脱衣室９０側の吸込口）の近傍には、実施形態２と同様に、温湿度センサ４が配置されている。
【００５１】
屋外には、実施形態１と同様に、給湯装置６（給湯タンク６１と室外機６２）が設置されている。
【００５２】
このような構成とすることで、実施形態３，４に比べ、浴室８０等の天井部の施工が中心となり、脱衣所９０の天井部に余裕がない場合や、脱衣所９０自体のサイズが小さい場合などでも、設置しやすいメリットがある。
【００５３】
以下、このような実施形態５に係る浴室乾燥装置１の動作について説明する。
装置本体２の排気機構２１を動作させると、図６の矢印Ａ１に示すように、浴室８０内の空気が屋外に排出される。これに伴って、矢印Ａ５に示すように、脱衣室９０内の空気が連通口９３を通じて、浴室８０内に流入する。その際、低湿度化機構３を動作させると、連通口９３から流入する空気の湿度を低下させる。また、矢印Ａ４に示すように、屋外（又は他の部屋）からの空気がダクト９２から流入する。
また、装置本体２の循環送風機構２２を動作させると、図６の矢印Ａ２に示すように、浴室８０内の空気が循環する。
【００５４】
（実施形態６）
図７は、本発明の実施形態６に係る浴室乾燥装置１の配置例を説明するための模式図である。実施形態６では、後述するように、２つの低湿度化機構３が装置本体２内に配置され、脱衣室９０から浴室８０に流入する空気、及び、浴室８０内を循環する空気の両方の温湿度を制御できるように構成されている。
実施形態１と同様に、浴室８０と脱衣室９０とは、ドア８２によって仕切られている。浴室８０には、浴槽８１が設置されており、また、浴室８０の天井には、装置本体２が設置されている。なお、実施形態１と異なり、装置本体２には、２つの低湿度化機構３（低湿度化機構３ａ，３ｂ）が配置されている。
浴槽８１と給湯装置６とは、実施形態２と同様に、配管６４を介して接続されている。
【００５５】
脱衣室９０には、浴室８０の装置本体２（低湿度化機構３ｂ）と繋ぐ風路となる空気導入ダクト９５が、一例として天井裏に設けられている。
また、脱衣室９０の天井には、実施形態１同様に、ダクト９２が設置されている。
【００５６】
また、空気導入ダクト９５（脱衣室９０側の吸込口）の近傍には、温湿度センサ４が配置されている。
【００５７】
屋外には、実施形態１と同様に、給湯装置６（給湯タンク６１と室外機６２が）が設置されている。
【００５８】
このような構成とすることで、装置本体２は大型化するものの、流入空気の温湿度に応じて、流入空気を低湿度化したり、循環空気を低湿度化したり、排気量制御をしたり、との選択肢が多くなる。そのため、空気条件や洗濯物の負荷に合わせたきめ細かい制御が可能となり、負荷に応じた最も省エネな制御を自動化することができる。
【００５９】
以下、このような実施形態６に係る浴室乾燥装置１の動作について説明する。
装置本体２の排気機構２１を動作させると、図７の矢印Ａ１に示すように、浴室８０内の空気が屋外に排出される。これに伴って、矢印Ａ７に示すように、脱衣室９０内の空気が空気導入ダクト９５を通じて、装置本体２を経由して浴室８０内に流入する。その際、低湿度化機構３ｂを動作させると、空気導入ダクト９５から流入する空気の湿度を低下させる。また、矢印Ａ４に示すように、屋外（又は他の部屋）からの空気がダクト９２から流入する。
また、装置本体２の循環送風機構２２を動作させると、図７の矢印Ａ２に示すように、浴室８０内の空気が循環する。そして、低湿度化機構３を動作させると、浴室内を循環する空気の湿度を低下させる。
【００６０】
以上説明したように、本発明の実施形態に係る浴室乾燥装置１によれば、排気機構２１、循環送風機構２２、及び、低湿度化機構３に用いるエネルギーの組み合わせを考慮して、それぞれを制御する。具体的には、温湿度センサ４によって、浴室８０に流入する空気の絶対湿度が基準値よりも低い場合に、浴室乾燥装置１は、絶対湿度が高い場合に比べて、低湿度化機構３に用いるエネルギーをより低く設定することによって、過剰にエネルギーを用いることなく、適切な乾燥性能が得られる。また、絶対湿度が基準値よりも高い場合に、乾燥効率が悪いため、浴室乾燥装置１は、排気機構２１を最大風量（最大の動作モード）で作動させ、大風量の空気を浴室８０内に流入させ、また、浴室８０外に排出させる。
この結果、浴室の乾燥を効率よく行うことができる。
【００６１】
（他の実施形態）
また、上記の実施形態では、住居内の浴室８０を乾燥させる場合について説明したが、このような浴室８０に限られず、例えば、施設内等で乾燥させる必要のある部屋や区画を効率よく乾燥させる場合にも適用可能である。
また、本発明は、上述の実施形態および図面によって限定されるものではない。本発明の要旨を変更しない範囲で実施形態および図面に変更を加えることができるのはもちろんである。
【符号の説明】
【００６２】
１  浴室乾燥装置、２  装置本体、３，３ａ，３ｂ  低湿度化機構、４  温湿度センサ、５  制御部、６  給湯装置、９  ネットワーク、２１  排気機構、２２  循環送風機構、３１  上方開口部、３２  ドア側開口部、６１  給湯タンク、６２  室外機、６３，６４  配管、８０  浴室、８１  浴槽、８２  ドア、９０  脱衣室、９１，９３  連通口、９２  ダクト、９４  化粧パネル、９５  空気導入ダクト
【図１】
2016090124.tif 000003
【図２】
2016090124.tif 000004
【図３】
2016090124.tif 000005
【図４】
2016090124.tif 000006
【図５】
2016090124.tif 000007
【図６】
2016090124.tif 000008
【図７】
2016090124.tif 000009